(57)【要約】【課題】  文章作成に時間がかからず、文章の表現方法も統一され、駅を選択して案内文章を流すのに手間がかからない案内文章自動作成装置を提供する。【解決手段】  案内文章の作成と案内文章を各駅に配信するための案内文章自動作成装置である。そして、中央管理システム１００と運行情報入力端末システム４００と複数の駅案内システム２００−１，２００−２，・・・２００−８がネットワーク３００により接続された構成をとっている。この構成により、運行情報入力端末システム４００から入力した案内文章を中央管理システム１００を介して自動的に複数の駅案内システム２００−１，２００−２，・・・２００−８に配信する。【選択図】  図１
2005145163.tif 000002
【特許請求の範囲】
【請求項１】
案内文章の作成と前記案内文章を各駅に配信するための案内文章自動作成装置であって、
中央管理システムと運行情報入力端末システムと複数の駅案内システムがネットワークにより接続された構成をとり、
前記運行情報入力端末システムから入力した前記案内文章を前記中央管理システムを介して自動的に前記複数の駅案内システムに配信することを特徴とする案内文章自動作成装置。
【請求項２】
前記運行情報入力端末システムは、案内文章自動作成プログラムを備えており、前記案内文章自動作成プログラムを起動させた状態で必須入力項目を入力することにより、文章作成用データベースに記憶された定型文章に基づいて、自動的に案内文章を作成することを特徴とする請求項１記載の案内文章自動作成装置。
【請求項３】
前記運行情報入力端末システムは、１回の必須入力項目の入力により、前記複数の駅案内システムごとに配信する案内文章を自動的に作成し、前記中央管理システムは、作成された前記案内文章を前記複数の駅案内システムのうち対応する前記駅案内システムに自動配信することを特徴とする請求項２記載の案内文章自動作成装置。
【請求項４】
前記必須入力項目は、事故種別、運転状況、発生線区であることを特徴とする請求項２または３記載の案内文章自動作成装置。
【発明の詳細な説明】
【技術分野】
【０００１】
本発明は、案内文章自動作成装置に係り、特に、端末装置により案内文章を作成し、その作成した文章を自動的に駅案内システムに配信する案内文章自動作成装置に関するものである。
【背景技術】
【０００２】
従来、駅案内は、特許文献１にあるような駅案内表示器の表示方式などにより行われていた。その駅案内表示器では、鉄道の駅ホームに設置された案内表示器と、列車通過地点情報を入力に受けて入力情報に応じた案内情報を作成して表示制御する表示制御装置とにより、案内表示器の上段には列車の行き先、先発、次発の情報を表示し、下段には列車の接近情報の表示を行う駅案内表示器の表示方式において、上記表示情報とは別の運行情報等の流れ文章を作成する手段を設け、ここで作成した流れ文章を上記案内表示器の下段に列車接近情報が表示されていない空き時間を利用して、運行情報等の文章を下段に表示するようになっている。
【０００３】
このとき列車の運行情報を中央指令室から入力して各駅に配信するときに、表示する駅によって文章を変える必要がある。
【０００４】
そのような駅案内での問題点は、次のとおりである。ある駅で事故が発生した場合、不通区間の駅、折返し区間の駅、他路線等で案内する文章を変える必要があるが、そこまでしている時間がないため、現状は、同一の文章を流している。また、それぞれの文章を作成し、駅を選択して案内文章を流すのは入力に手間がかかり難しい。
【０００５】
また、入力の時、列車の運行情報の案内は、運転見合わせ、折返し運転、列車遅延等時間とともに変化し、司令員は、その都度、案内表示器等に表示させる文章を作成する必要がある。これまでは、文章入力端末であらかじめ作成された文章を選択したり、文章を手入力していた。
【０００６】
これまで使用していた入力方法と問題点を記す。文章エディタ等で文章を手入力する場合、文章入力に時間がかかる。人により表現方法が変わる。文章一覧から選択した場合、入力は選択のみで速いが、発生事象と一致しない場合が多い。文章を歯抜け文章とし、それぞれの項目を選択して文章を完成させる場合、全ての項目を入力するのに時間がかかる。以上のような問題点があった。
【特許文献１】特開平４−２７６６０号公報
【発明の開示】
【発明が解決しようとする課題】
【０００７】
本発明の課題は、それぞれの文章を作成し、駅を選択して案内文章を流すのは入力に手間がかかり難しいという問題点と、文章入力に時間がかかったり、人により文章の表現方法が変わるという問題点を解消することである。
【０００８】
本発明の目的は、上記の課題に鑑み、文章作成に時間がかからず、文章の表現方法も統一され、駅を選択して案内文章を流すのに手間がかからない案内文章自動作成装置を提供することにある。
【課題を解決するための手段】
【０００９】
本発明に係る案内文章自動作成装置は、上記の目的を達成するため、次のように構成される。
【００１０】
第１の案内文章自動作成装置（請求項１に対応）は、案内文章の作成と案内文章を各駅に配信するための案内文章自動作成装置である。そして、中央管理システムと運行情報入力端末システムと複数の駅案内システムがネットワークにより接続された構成をとっている。この構成により、運行情報入力端末システムから入力した案内文章を中央管理システムを介して自動的に複数の駅案内システムに配信する。
【００１１】
第２の案内文章自動作成装置（請求項２に対応）は、上記の構成において、好ましくは、運行情報入力端末システムは、案内文章自動作成プログラムを備えており、案内文章自動作成プログラムを起動させた状態で必須入力項目を入力することにより、文章作成用データベースに記憶された定型文章に基づいて、自動的に案内文章を作成する。
【００１２】
第３の案内文章自動作成装置（請求項３に対応）は、上記の構成において、好ましくは、運行情報入力端末システムは、１回の必須入力項目の入力により、複数の駅案内システムごとに配信する案内文章を自動的に作成し、中央管理システムは、作成された案内文章を複数の駅案内システムのうち対応する駅案内システムに自動配信する。
【００１３】
第４の案内文章自動作成装置（請求項４に対応）は、上記の構成において、好ましくは、必須入力項目は、事故種別、運転状況、発生線区であることで特徴づけられる。
【発明の効果】
【００１４】
本発明によれば、案内文章の作成に時間がかからず、案内文章の表現方法も統一され、駅を選択して案内文章を流すのに手間がかからないようにすることができる。
【発明を実施するための最良の形態】
【００１５】
以下に、本発明の好適な実施形態（実施例）を添付図面に基づいて説明する。
【００１６】
図１は、本発明の実施形態に係る案内文章自動作成装置の構成を説明するための図である。図１に示すように、案内文章自動作成装置は中央管理システム１００と駅案内システム２００−１，２００−２，・・・２００−８がネットワーク３００で接続され、運行情報入力端末システム４００が中央管理システム１００と接続された構成をとる。
【００１７】
中央管理システム１００は、運行情報用サーバ装置１０と運行情報中央管理装置１１と運行情報中央伝送装置１２からなっている。運行情報用サーバ装置１０は、サーバ１３と入出力装置１４とハブ１５とルータ１６から構成され、運行情報入力端末システム４００から送信された案内文章データを受信し、各駅案内システム２００−１，２００−２，・・・２００−８に振り分ける設定をし、運行情報中央管理装置１１に送信する。また、社内ＬＡＮ５００からの情報も受信し、また、情報を送信できるようになっている。サーバ１３には、文章作成用データベース５１が設けられている。
【００１８】
運行情報中央管理装置１１は、入出力装置２０と、ＣＲＴ／ＫＢ切替器２１とスイッチングハブ２２とインストール用ＣＤ−ＲＯＭドライブ２３−１，２３−２，・・・２３−８とからなり、運行情報用サーバ装置１３から送信された各駅案内システム２００−１，２００−２，・・・２００−８への案内文章データを振り分け、運行情報中央伝送装置１２に送る装置である。
【００１９】
運行情報中央伝送装置１２は、伝送部３０−１，３０−２，・・・３０−８を備え、それらの伝送部３０−１，３０−２，・・・３０−８により光伝送路（ネットワーク）３００を介して対応する駅案内システム２００−１，２００−２，・・・２００−８に案内文章データを送信する。
【００２０】
駅案内システム２００−１，２００−２，・・・２００−８は、旅客案内駅制御装置４０−１，４０−２，・・・４０−８を備え、受信した案内文章データを駅構内の表示装置（図示せず）に送り、表示させる。
【００２１】
運行情報入力端末システム４００は、案内文章自動作成プログラム５０と入出力装置５２とハブ５３を備えており、案内文章自動作成プログラム５０を起動させた状態で必須入力項目を入力することにより、サーバ１３にＬＡＮでアクセスし、文章作成用データベース５１に記憶された定型文章に基づいて、自動的に案内文章を作成する。
【００２２】
運行情報入力端末システム４００は、１回の必須入力項目の入力により、複数の駅案内システム２００−１，２００−２，・・・２００−８ごとに配信する案内文章を自動的に作成し、中央管理システム１００は、作成された案内文章を複数の駅案内システム２００−１，２００−２，・・・２００−８のうち対応する駅案内システムに自動配信する。
【００２３】
図２に運行情報入力端末システム４００での入出力装置５２の入力画面６０の具体的な構成を示す。入力画面６０は、事故種別テキストボックス６１、運転状況テキストボックス６２、発生時間テキストボックス６３、発生線区テキストボックス６４、区間テキストボックス６５、折返し線区テキストボックス６６−１，６６−２，６６−３、区間テキストボックス６７−１，６７−２，６７−３、振替輸送先テキストボックス６８、輸送方法テキストボックス６９、文章作成テキストボックス７０、表示期間テキストボックス７１と、確認コマンドボタン７２、正常運転コマンドボタン７３、キャンセルボタン７４、メニューボタン７５から成る。
【００２４】
上記の各テキストボックスのうち、必須入力項目があり、（例えば、事故種別、運転状況、発生線区等）である。必須入力項目が入力されると、その入力に基づいてサーバ１３の文章作成用データベース５１に予め登録されたその状況に応じた、駅間接続情報、連動駅（折返し可能駅）情報、路線接続情報、例えば、事故の内容と発生場所により不通区間、折返し区間、影響線区等が検索され、自動設定され、折返し線区テキストボックス６６−１，６６−２，６６−３、区間テキストボックス６７−１，６７−２，６７−３、振替輸送先テキストボックス６８、輸送方法テキストボックス６９に表示される。また、この必須入力項目の入力により、文章作成テキストボックス７０には、文章作成用データベース５１に登録された定型文により文章が作成され、表示される。このとき、各駅案内システムに配信される文章が、その状況に応じて、図３で示すように他の表示画面において表示される。図３において、文章テキストボックス７６−１，７６−２，７６−３には、メッセージが表示され、テキストボックス７７−１，７７−２，７７−３には、それらのメッセージが配信される路線名と駅名が示される。
【００２５】
図３で示されるように、必須入力項目の入力により、不通区間の駅、折返し区間の駅、影響線区の駅毎に自動的に配信される文章が作成され、画面上に表示される。
【００２６】
例えば、有楽町線永田町で人身事故発生のとき、不通区間は、市ヶ谷−有楽町と設定され、その区間内の駅案内システムに配信される文章として、「ただいま有楽町線は永田町駅で発生した人身事故により市ヶ谷駅−有楽町駅間が不通となっております」と自動的に作成され、画面上に表示される。折返し運転は、和光市−市ヶ谷と設定され、その区間内の駅案内システムに配信される文章として「ただいま有楽町線は永田町駅で発生した人身事故により和光市駅−市ヶ谷駅で折返し運転を行っております。」と自動的に作成され、画面上に表示される。また、折返し運転を、有楽町−新木場で行うことが設定され、その区間内の駅案内システムに配信される文章として、「ただいま有楽町線は永田町駅で発生した人身事故により有楽町駅−新木場駅で折返し運転を行っております。」と自動的に作成され、画面上に表示される。他路線内の駅案内システムに配信される文章として、「ただいま有楽町線は永田町駅で発生した人身事故により和光市駅−市ヶ谷駅、有楽町駅−新木場駅で折返し運転を行っております」と自動的に作成され、画面上に表示される。
【００２７】
また、最初の必須入力項目は事故種別、運転状況、発生線区で、事故種別、運転状況がテキストボックス６１，６２，６３に入力されると必須入力項目が変化する。また、必須入力項目は画面上で項目名の色で分かるようにしている。
【００２８】
また、自動作成した文章は、後から文章作成エリア（テキストボックス）７０で手直しができる。
【００２９】
次に、文章の自動作成方法について説明する。各テキストボックスに項目が入力されるごとにサーバ１３の文章作成用データベース５１を検索し、入力された項目で最適な文型を選択し、入力された項目を文型の挿入エリア（テキストボックス）７０に穴埋めして文章作成エリアに表示する。項目入力毎に作成された文章をリアルタイムに文章作成エリア（テキストボックス）７０に表示するため、項目入力途中で目的とする文章が得られた場合は、項目入力を途中で中止し文章を確定できる。
【００３０】
文章は、次のようにして修正することができる。文章を変更する場合は、作成時の項目設定をサーバ１３の文章作成用データベース５１から読み出し、一部項目を再選択することで簡単に次の文章を作成することができる。
【００３１】
次に、本実施形態における案内文章自動作成プログラム５０による案内文章作成処理を詳細に説明する。
【００３２】
本実施形態の案内文章作成処理は、まず、指令者が運行情報入力端末システム４００の入出力装置５２より処理プログラム（案内文章自動作成プログラム）５０を起動する（図４のステップＳＴ１０）。
【００３３】
処理プログラム５０を起動した運行情報入力端末システム４００は、入出力装置５２の画面上に図２で示した入力画面６０を表示する（図４のステップＳＴ１１）。操作者は、入出力装置５２に表示された入力画面６０を見ながら、入出力装置５２により、事故種別テキストボックス６１、運転状況テキストボックス６２、発生線区テキストボックス６４に、例えば、人身事故、有楽町線、永田町駅を入力する（図４のステップＳＴ１２）。入力された事故種別データ、運転状況データ、発生線区データに基づいて文章作成用データベース５１から、予め定められたその状況での不通区間、折返し、影響線区を自動設定する（図４のステップＳＴ１３）。
【００３４】
運行情報入力端末システム４００は、検索された不通区間、折返し、影響線区を入出力装置５２の画面６０に表示する（図４のステップＳＴ１４）。
【００３５】
また、入出力装置５２には、文章作成テキストボックス７０に文章が表示される（図４のステップＳＴ１５）。また、図３で示した別の画面には、各駅に送信する文章を表示する（図４のステップＳＴ１６）。
【００３６】
操作者は、それらの文章でよいかどうか確認する（図４のステップＳＴ１７）、それで決定するときは、出力画面６０上に表示された確認のボタン７２を図示しないマウスによりクリックして、決定の情報を送信する（図４のステップＳＴ１８）。キャンセルや修正するときは、出力画面６０上に表示されたキャンセルボタン７４を図示しないマウスによりクリックして送信する（図４のステップＳＴ１９）。そのとき、プログラムはステップＳＴ１１に戻る。
【００３７】
文章データを受信した中央管理システム１００は、各駅毎に振り分け、運行情報中央伝送装置１２を介して、対応する駅案内システム２００−１，２００−２，・・・２００−８に送信する。その文章データを受信した各駅案内システム２００−１，２００−２，・・・２００−８は、旅客案内駅制御装置４０−１，４０−２，・・・４０−８により、図示しない駅構内の表示装置に案内文章を表示する。
【００３８】
図２で示す画面６０で正常運転ボタン７３が押されたら、各駅に中央管理システム１００を介して送信され、正常運転になったことを駅構内の表示装置（図示せず）に表示する。
【００３９】
このように、案内文章の作成に時間がかからず、案内文章の表現方法も統一され、駅を選択して案内文章を流すのに手間がかからないようにすることができる。なお、入力は、キーボード等による入力で説明したが、音声入力装置による入力でも良い。
【産業上の利用可能性】
【００４０】
本発明は、駅に表示する案内文章の作成と、各駅の表示装置に配信するためのシステムとして利用される。
【図面の簡単な説明】
【００４１】
【図１】本発明の実施形態に係る案内文章自動作成装置の構成を説明するための図である。
【図２】運行情報入力端末システムの入力画面を示す図である。
【図３】運行情報入力端末システムの別の表示画面を示す図である。
【図４】案内文章自動作成装置の処理フローチャートである。
【符号の説明】
【００４２】
１０        運行情報用サーバ装置
１１        運行情報中央管理装置
１２        運行情報中央伝送装置
１３        サーバ
１４        入出力装置
１５        ハブ
１６        ルータ
２０        入出力装置
２１        ＣＲＴ／ＫＢ切替器
２２        スイッチングハブ
５０        案内文章自動作成プログラム
５１        文章作成用データベース
５２        入出力装置
５３        ハブ
１００      中央管理システム
２００−１  駅案内システム
３００      ネットワーク
４００      運行情報入力端末システム
【図１】
2005145163.tif 000003
【図２】
2005145163.tif 000004
【図３】
2005145163.tif 000005
【図４】
2005145163.tif 000006